(57)【要約】【課題】動画撮影時に、静止画撮影を行い、さらに動画撮影を繰り返し行う放射線画像の撮影の際に、同期がずれることなく、動画を連続的に取得しながら、その間に、高画質の静止画を取得する放射線検出装置を提供する。【解決手段】放射線検出器から動画撮影モードの周期Ｔｃｋ（Ｔｓ＋Ｔｒ）で動画信号を取得中に、静止画信号を取得する際、前記静止画信号の蓄積時間Ｔｓｔと読取時間Ｔｒｄの合成時間（Ｔｓ＋Ｔｒｄ）が、動画撮影モードの周期Ｔｃｋの整数倍（Ｔｓ＋Ｔｒｄ＝Ｔｃ×ｎ、ｎは、２以上の整数）になるように、前記静止画信号を取得するタイミングを制御する。【選択図】図５
2011255020.tif 000002
【特許請求の範囲】
【請求項１】
行列状に配置され、放射線を信号電荷に変換して蓄積するとともに、蓄積された信号電荷を動画信号又は静止画信号として出力する画素を備える放射線検出器と、
少なくとも前記放射線を前記信号電荷に変換して蓄積する蓄積時間、及び蓄積された信号電荷を読み取る読取時間を制御して、前記放射線検出器を、動画撮影モード又は静止画撮影モードに切り替える検出器制御部とを備え、
前記検出器制御部は、前記放射線検出器から前記動画撮影モードの周期で動画信号を取得中に、静止画信号を取得する際、前記静止画信号の前記蓄積時間と前記読取時間の合成時間が、前記動画撮影モードの周期の整数倍になるように、前記静止画信号を取得するタイミングを制御する
ことを特徴とする放射線撮影装置。
【請求項２】
請求項１記載の放射線撮影装置において、
前記検出器制御部は、
前記動画信号を、ビニング処理により取得する
ことを特徴とする放射線撮影装置。
【請求項３】
請求項１又は２記載の放射線撮影装置において、
さらに、表示装置を有し、
前記表示装置上に、前記動画信号による動画と前記静止画信号による静止画とを同時に表示する
ことを特徴とする放射線撮影装置。
【請求項４】
行列状に配置され、放射線を信号電荷に変換して蓄積するとともに、蓄積された信号電荷を動画信号又は静止画信号として出力する画素を備える放射線検出器に対して、少なくとも前記放射線を前記信号電荷に変換して蓄積する蓄積時間、及び蓄積された信号電荷を読み取る読取時間を制御して、前記放射線検出器を、動画撮影モード又は静止画撮影モードに切り替える検出器制御部による放射線撮影方法において、
前記放射線検出器から前記動画撮影モードの周期で動画信号を取得中に、静止画信号を取得する際、前記静止画信号の前記蓄積時間と前記読取時間の合成時間を、前記動画撮影モードの周期の整数倍に設定する過程と、
設定された前記動画撮影モードの周期の整数倍の周期により、前記静止画信号を取得するようにタイミングを制御する過程と、
を有することを特徴とする放射線撮影方法。
【発明の詳細な説明】
【技術分野】
【０００１】
この発明は、被写体を透過した放射線を検出し、検出した前記放射線を、画像情報を持つ信号電荷に変換する放射線検出器を有し、動画及び静止画を取得可能な放射線撮影装置及び方法に関する。
【背景技術】
【０００２】
医療分野において、被写体に放射線を照射し、該被写体を透過した前記放射線を放射線検出器に導いて放射線画像情報を撮影する放射線画像撮影システムが広汎に使用されている。前記放射線検出器としては、前記放射線画像情報が露光記録される従来からの放射線フイルムや、蛍光体に前記放射線画像情報としての放射線エネルギを蓄積し、励起光を照射することで前記放射線画像情報を輝尽発光光として取り出すことのできる蓄積性蛍光体パネルが知られている。これらの放射線検出器は、前記放射線画像情報が記録された放射線フイルムを現像装置に供給して現像処理を行い、あるいは、前記蓄積性蛍光体パネルを読取装置に供給して読取処理を行うことで、可視画像を得ることができる。
【０００３】
一方、手術時、造影撮影時、あるいは骨折等の治療時等においては、患者に対して迅速且つ的確な処置を施すため、撮影後の放射線検出器から直ちに放射線画像情報を読み出して表示できることが必要である。このような要求に対応可能な放射線検出器として、放射線を直接電気信号に変換し、あるいは、放射線をシンチレータで可視光に変換した後、電気信号に変換して読み出す固体検出素子（画素という。）を用いたフラットパネルデテクタ（ＦＰＤ）と称される放射線検出器が開発されている。
【０００４】
特許文献１に記載されているように、この放射線検出器は、医療現場では、動画（透視）撮影及び静止画（一般）撮影に供される。動画は、上述したように、血管造影装置や骨折治療時における観察等に用いられ、静止画は、該当部位の精密な画像診断に用いられる。そして、動画撮影中、精密に観察診断するために、静止画撮影を行いたい場合がある。
【０００５】
特許文献１には、被写体に対して弱いＸ線を連続的に照射しながらコマ間隔ｔ１（ｔ１は、例えば１／３０［ｓｅｃ］）で連続的に動画を撮影した後、所定時間ｔ２（ｔ２＝２×ｔ１）Ｘ線照射を止めた後、Ｘ線強度を、極めて短い時間ｔｓｈｏｒｔ（ｔｓｈｏｒｔ＜＜ｔ１）、例えば１０倍程度に上げて静止画撮影を行い、さらに、所定時間ｔ３（ｔ３＝３×ｔ１−ｔｓｈｏｒｔ）Ｘ線照射を止めた後、弱いＸ線を連続的に照射しながら再びコマ間隔ｔ１で動画撮影を行う放射線撮影装置が記載されている。
【０００６】
特許文献１には、このように制御することにより、動画撮影をした後の静止画画像に動画画像のゴーストが残ることがなく、静止画撮影をした後の動画画像に静止画画像のゴーストが残存しないようにすることができると記載されている。
【先行技術文献】
【特許文献】
【０００７】
【特許文献１】特開２０００−２９２５９８号公報（図１２、段落［００５０］、［００５４］、［００５５］）
【発明の概要】
【発明が解決しようとする課題】
【０００８】
ところで、動画撮影の間に、静止画撮影を挟んで行う場合、動画撮影時における放射線検出器を構成する画素へのＸ線の蓄積時間及び前記画素からの読出時間、並びに静止画撮影時における前記画素へのＸ線の蓄積時間及び前記画素からの読出時間の規定が必要となるが、これらの点について、特許文献１には、何も規定されていない。
【０００９】
この発明はこのような課題を考慮してなされたものであり、動画撮影時に、静止画撮影を行い、さらに動画撮影を繰り返し行う放射線画像の撮影の際に、同期がずれることなく、動画を連続的に取得しながら、その間に、高画質の静止画を取得することを可能とする放射線撮影装置及び方法を提供することを目的とする。
【課題を解決するための手段】
【００１０】
この発明に係る放射線撮影装置は、行列状に配置され、放射線を信号電荷に変換して蓄積するとともに、蓄積された信号電荷を動画信号又は静止画信号として出力する画素を備える放射線検出器と、少なくとも前記放射線を前記信号電荷に変換して蓄積する蓄積時間、及び蓄積された信号電荷を読み取る読取時間を制御して、前記放射線検出器を、動画撮影モード又は静止画撮影モードに切り替える検出器制御部とを備え、前記検出器制御部は、前記放射線検出器から前記動画撮影モードの周期で動画信号を取得中に、静止画信号を取得する際、前記静止画信号の前記蓄積時間と前記読取時間の合成時間が、前記動画撮影モードの周期の整数倍になるように、前記静止画信号を取得するタイミングを制御することを特徴とする。
【００１１】
この発明によれば、前記放射線検出器から前記動画撮影モードの周期で動画信号を取得中に、静止画信号を取得する際、前記静止画信号の前記蓄積時間と前記読取時間の合成時間を、前記動画撮影モードの周期の整数倍として、前記静止画信号を取得するようにタイミングを制御するようにしているので、動画撮影時に、静止画撮影を行い、さらに動画撮影を繰り返し行う放射線画像の撮影の際に、同期がずれることなく、動画を連続的に取得しながら、その間に、高画質の静止画を取得することができる。
【００１２】
この場合において、前記検出器制御部は、前記動画信号を、ビニング処理により取得することで、ＳＮ比の高い動画を取得することができる。
【００１３】
なお、さらに、表示装置を有し、前記表示装置上に、前記動画信号による動画と前記静止画信号による静止画とを同時に表示するようにすることで、動画と静止画を同時に見ることができる。
【００１４】
この発明に係る放射線撮影方法は、行列状に配置され、放射線を信号電荷に変換して蓄積するとともに、蓄積された信号電荷を動画信号又は静止画信号として出力する画素を備える放射線検出器に対して、少なくとも前記放射線を前記信号電荷に変換して蓄積する蓄積時間、及び蓄積された信号電荷を読み取る読取時間を制御し、前記放射線検出器を、動画撮影モード又は静止画撮影モードに切り替える検出器制御部による放射線撮影方法において、前記放射線検出器から前記動画撮影モードの周期で動画信号を取得中に、静止画信号を取得する際、前記静止画信号の前記蓄積時間と前記読取時間の合成時間を、前記動画撮影モードの周期の整数倍に設定する過程と、設定された前記動画撮影モードの周期の整数倍の周期により、前記静止画信号を取得するようにタイミングを制御する過程と、を有することを特徴とする。
【００１５】
この発明によれば、前記放射線検出器から前記動画撮影モードの周期で動画信号を取得中に、静止画信号を取得する際、前記静止画信号の前記蓄積時間と前記読取時間の合成時間が、前記動画撮影モードの周期の整数倍になるように設定し、設定された前記動画撮影モードの周期の整数倍の周期により、前記静止画信号を取得するようにタイミングを制御するようにしているので、動画撮影時に、静止画撮影を行い、さらに動画撮影を繰り返し行う放射線画像の撮影の際に、同期がずれることなく、動画を連続的に取得しながら、その間に、高画質の静止画を取得することができる。
【発明の効果】
【００１６】
この発明によれば、動画撮影時に、静止画撮影を行い、さらに動画撮影を繰り返し行う放射線画像の撮影の際に、同期がずれることなく、動画を連続的に取得しながら、その間に、高画質の静止画を取得することができる。
【図面の簡単な説明】
【００１７】
【図１】この発明の実施形態に係る放射線撮影システムの模式的全体構成図である。
【図２】放射線撮影システムのブロック図である。
【図３】放射線検出装置の回路構成ブロック図である。
【図４】図４Ａは、ビニング処理時の説明図、図４Ｂは、非ビニング処理時の説明図である。
【図５】この実施形態に係る動画と静止画の撮影タイミングの関係を示すタイムチャートである。
【図６】動画撮影モードに係るタイムチャートである。
【図７】静止画撮影モードに係るタイムチャートである。
【図８】表示装置への表示態様の説明図である。
【発明を実施するための形態】
【００１８】
以下、この発明の一実施形態に係る放射線撮影装置を含む放射線撮影システムについて、添付の図面を参照しながら詳細に説明する。
【００１９】
図１は、この実施形態に係る放射線撮影システム１０（以下、「撮影システム１０」という。）の構成を示している。
【００２０】
図２は、図１に示す放射線撮影システム１０のブロック図である。
【００２１】
図１及び図２において、放射線Ｘの撮影室に設置される撮影システム１０は、撮影条件に従った線量の放射線Ｘを患者等の被検者１２に照射（曝射）する、管球保持器１５内に収容された放射線源１４と、被検者（被写体）１２を透過した放射線Ｘを検出する放射線検出器１６｛ＦＰＤ（Ｆｌａｔ  Ｐａｎｅｌ  Ｄｅｔｅｃｔｏｒ）：平面検出器}を備える放射線検出装置１８と、放射線検出装置１８で検出された放射線Ｘに基づく放射線画像等を表示する表示装置２０と、当該撮影システム１０を総合的に制御する撮影制御装置２２（コンソール）と、撮影制御装置２２の制御下に図示しないモータ等の駆動源により管球保持器１５や放射線検出装置１８等を移動制御する駆動機構部２３（繁雑となるので図１には記載していない。）と、を備える。駆動機構部２３を通じて、管球保持器１５がｚ方向に移動される。
【００２２】
なお、撮影条件とは、被検者１２の撮影部位に対して、適切な線量からなる放射線Ｘを照射するための管電圧、管電流、照射時間等を決定するための条件であり、例えば、撮影部位、動画撮影モード又は静止画撮影モードの撮影方法等の条件を挙げることができる。
【００２３】
放射線検出装置１８は、放射線検出器１６と検出器制御部４６と記憶部８２と図示しないバッテリ等により一体的に構成されている。
【００２４】
撮影システム１０において、撮影制御装置２２に対して、放射線源１４と、放射線検出装置１８と、表示装置２０と、駆動機構部２３とは、無線又は有線の通信線で接続され、信号の送受信が行われる。
【００２５】
放射線源１４は、天井１１から延びた伸縮自在のアーム２４に連結され、該アーム２４は、撮影制御装置２２の入力部８６（ジョイステック等の操作レバーやスイッチ、キーボード、マウス等から構成される）を操作することで、駆動機構部２３を通じて高さ方向に伸縮可能であり、撮影時において被検者１２の撮影部位に応じた所望の位置に移動可能である。また、入力部８６の操作により動画撮影モードと静止画撮影モードとを切り替えることができる。さらに、入力部８６の操作により表示装置２０上の表示形態を変更することができる。
【００２６】
表示装置２０は自在アーム２６に連結され、表示される放射線画像を医師や放射線技師（以下、医師等という。）２７が容易に確認できる位置に駆動機構部２３を通じてあるいは手動により移動、回転可能である。
【００２７】
放射線検出装置１８は、被検者１２を載せる撮影台２８と、この撮影台２８に設けられ垂直方向に延びる支柱３０と、この支柱３０に沿って設けられるガイドレール３２と、このガイドレール３２に取り付けられ高さ方向に移動可能な前記の放射線検出器１６を内蔵する放射線検出ユニット３４と、この撮影台２８に設けられ垂直方向（ｚ方向）に延び、被検者１２を固定する衝立３５と、を備える。
【００２８】
図３は、放射線検出器１６の回路構成ブロック図である。放射線検出器１６は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、光電変換層５１で発生した電荷を蓄積容量（蓄積部）５３に蓄積した後、各行毎にＴＦＴ５２を順次オンにして、電荷を画像信号として読み出す。
【００２９】
図３では、光電変換層５１及び蓄積容量５３からなる１つの画素５０と１つのＴＦＴ５２との接続関係のみを示し、その他の画素５０の構成については省略している。なお、画素５０は、タイミング動作理解の便宜のために、４×４画素として描いているが、実際上、放射線検出器１６の画素数は、１００万乃至２００万画素程度である。
【００３０】
各画素５０に接続されるＴＦＴ５２には、行方向に平行に延びるゲート線５４と、列方向に平行に延びる信号線５６とが接続される。各ゲート線５４は、ライン走査駆動部５８に接続され、各信号線５６は、読取回路を構成する可変ゲインプリアンプ（チャージアンプ）１０２、ビニング部１０４、低域通過周波数の切換可能なＬＰＦ（低域通過フィルタ）１０６、及びＣＤＳ（相関二重サンプリング）部１０８を通じてマルチプレクサ６６に接続される。
【００３１】
可変ゲインプリアンプ１０２は、正入力側が接地されたオペアンプ１１０と、負入力側と出力側との間に、それぞれ並列に接続されるコンデンサ１１２と、スイッチ１１６とコンデンサ１１４と、リセットスイッチ１１８とから構成され、スイッチ１１６はゲイン制御部１２０を通じて切り換えられ、リセットスイッチ１１８は、検出器制御部４６を通じて切り換えられる。
【００３２】
ビニング部１０４は、隣り合う通信線間に接続されるスイッチ１２４と、通信線の途中に接続されるスイッチ１２２、１２６とから構成され、ビニング制御部１２８を通じて切り換えられる。
【００３３】
この実施形態において、動画撮影モードの読取時には、図４Ａに示すように、ビニング接続とされ、静止画撮影モードの読取時には、図４Ｂに示すように、通常接続とされる。
【００３４】
図３において、ＬＰＦ１０６は、抵抗器１３０と、抵抗器１３３と、コンデンサ１３４と、抵抗器１３０を短絡するスイッチ１３２とから構成され、スイッチ１３２は、可変ＬＰＦ制御部１３６により切り換えられる。
【００３５】
ＣＤＳ部１０８は、信号電荷の残留成分（ノイズ成分）をサンプルホールドする第１サンプルホールド回路１３８と、信号電荷（ノイズ成分＋信号成分）をサンプルホールドする第２サンプルホールド回路１４０と、ノイズ成分を除去して信号成分のみの信号電荷による電圧信号を出力する差動アンプ（差動増幅器）１４２とから構成され、第１及び第２サンプルホールド回路１３８、１４０のサンプルタイミングは、ＣＤＳ制御部１４４により切り換えられる。
【００３６】
一方、ゲート線５４には、行方向に配列されたＴＦＴ５２をオンオフ制御する制御信号Ｖｏｎ（クロックφ１、φ２、φ３、φ４）、Ｖｏｆｆがライン走査駆動部５８から供給される。この場合、ライン走査駆動部５８は、ゲート線５４を切り替える複数のスイッチＳＷ１と、スイッチＳＷ１の１つを選択する選択信号を出力するアドレスデコーダ６０とを備える。アドレスデコーダ６０には、検出器制御部４６からアドレス信号が供給される。
【００３７】
上述した信号線５６には、列方向に配列されたＴＦＴ５２を介して各画素５０の蓄積容量５３に保持されている電荷が流出する。この電荷は、上述したように、読取回路を構成する可変ゲインプリアンプ１０２、ビニング部１０４、ＬＰＦ１０６、及びＣＤＳ部１０８を通じて所定の電圧信号とされてマルチプレクサ６６に接続される。
【００３８】
マルチプレクサ６６は、信号線５６を切り替える複数のスイッチＳＷ２と、スイッチＳＷ２の１つを選択する選択信号を出力するアドレスデコーダ６８とを備える。アドレスデコーダ６８には、検出器制御部４６からアドレス信号が供給される。
【００３９】
マルチプレクサ６６には、検出器制御部４６によりＡ／Ｄのタイミングが制御されるＡ／Ｄ変換器（Ａ／Ｄ変換部）７０が接続され、Ａ／Ｄ変換器７０によってデジタル信号の画像データに変換された放射線画像情報が検出器制御部４６に供給される。画像データは、一旦、放射線検出器１６と一体に構成された記憶部８２に記憶される。
【００４０】
なお、スイッチング素子として機能するＴＦＴ５２は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。また、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００４１】
図２において、撮影制御装置２２には、病院内の放射線科で取り扱われる放射線画像情報やその他の情報を統括的に管理する放射線科情報システム（ＲＩＳ）２９が接続され、ＲＩＳ２９には、病院内の医事情報を統括的に管理する医事情報システム（ＨＩＳ）３３が接続される。
【００４２】
放射線源１４は、放射線Ｘを発生するＸ線管７６と、放射線Ｘの線量（強度）と照射タイミングを制御する線源制御部８０とを備える。実際上、線源制御部８０の照射タイミングは、検出器制御部４６及び撮影制御部９０の制御下に制御される。
【００４３】
図２おいて、放射線源１４の線源制御部８０は、撮影スイッチ７４がオン状態とされたことを検出すると、撮影制御装置２２から供給される撮影条件に基づきＸ線管７６を駆動し、Ｘ線管７６から放射線Ｘを出力させる。
【００４４】
上述したように、放射線検出装置１８は、放射線検出器１６の他に検出器制御部４６と記憶部８２を備える。検出器制御部４６は、放射線検出器１６から得た画像データを取得し、記憶部８２（画像メモリ）に記憶する。
【００４５】
撮影制御装置２２は、入力部８６及び撮影スイッチ７４の他、撮影制御部９０と記憶部９４と表示部９６を備える。
【００４６】
放射線検出装置１８の記憶部８２に記憶された画像データは、撮影後直ちに撮影制御装置２２の記憶部９４に転送され撮影制御部９０により所定の画像処理が施されて表示装置２０に画像データとして転送される。画像データに応じて表示装置２０上に被検者１２の撮影範囲に係る放射線画像が動画画像あるいは静止画画像として表示される。
【００４７】
この実施形態に係る撮影システム１０は、基本的には以上のように構成されるものであり、次にその動作について説明する。
【００４８】
撮影制御装置２２に対してＲＩＳ２９を通じて撮影オーダが入るかどうかが監視され被検者情報を含む撮影オーダ（撮影条件）が入ると、撮影制御装置２２の表示部９６に表示される。
【００４９】
次いで、その撮影オーダに対応する撮影メニュー（撮影条件が全下肢撮影等）が、撮影制御部９０より選択される。
【００５０】
このとき、撮影制御部９０は、駆動機構部２３を介して放射線源１４を、該当位置に移動する。
【００５１】
次いで、被検者１２を撮影台２８に載せ、衝立３５に位置決めし、固定ベルトで固定する。
【００５２】
次いで、入力部８６を通じて動画撮影モードあるいは静止画撮影モード等の撮影条件が選択された後、撮影スイッチ７４が押下されオン状態にされると、撮影条件に応じてＸ線管７６が駆動され被検者１２に放射線Ｘが照射される。
【００５３】
被検者１２を透過した放射線Ｘは、放射線検出器１６の各画素５０で検出される。放射線Ｘの照射が終了すると、各画素５０の電荷が読み出されＡ／Ｄ変換器７０でデジタル化され、デジタル画像データとして記憶部８２に記憶される。
【００５４】
次に動画撮影モードと静止画撮影モードの動作タイミングについて、図５〜図７のタイムチャートを参照して説明する。
【００５５】
［動画撮影モードと静止画撮影モードの両撮影モードの概括的な説明］
図５は、この実施形態に係る動画と静止画の撮影タイミングの関係を示している。
【００５６】
図５には、撮影タイミングを決定するクロックＣＫを描いている。クロックＣＫの周期は、動画撮影モード周期（クロック周期ともいう。）Ｔｃｋとして、Ｔｃｋ＝１／３０［ｓｅｃ］＝３３．３［ｍｓ］に設定している。１秒当たり３０コマの動画を撮影することができる。１秒当たり、１０コマあるいは１００コマの動画を撮影ようにすることもできる。なお、クロック周期Ｔｃｋは、いわゆる映像信号の垂直同期周波数の周期に対応したものである。
【００５７】
最初に入力部８６により動画撮影モードの指令が入ったものとすると、時点ｔ０〜時点ｔ４まで、動画撮影モードで４コマの動画撮影を行い、時点ｔ４までの間に入力部８６により静止画撮影モードの指令が入り、かつその指令により指定された静止画撮影時間Ｔｓｉが、Ｔｓｉ＝４×Ｔｃｋとされていた場合、時点ｔ４〜ｔ８の間で静止画撮影時間Ｔｓｉ＝４×Ｔｃｋの静止画撮影がなされ、時点ｔ８で動画撮影モードに自動的に復帰する。
【００５８】
さらに、時点ｔ９までの間に、入力部８６により静止画撮影モードの指令が入り、かつその指令により指定された静止画撮影時間ＴｓｉがＴｓｉ＝６×Ｔｃｋとされていた場合、時点ｔ９〜ｔ１５の間で静止画撮影時間Ｔｓｉ＝６×Ｔｃｋの静止画撮影がなされ、時点ｔ１５にて、動画撮影モードに自動的に復帰する。
【００５９】
ここで、静止画撮影時間Ｔｓｉは、蓄積時間Ｔｓｔと読取時間Ｔｒｄの合成時間（Ｔｓｉ＝Ｔｓｔ＋Ｔｒｄ）としてとして表されるが、その合成時間である静止画撮影時間Ｔｓｉを、動画撮影モード周期Ｔｃｋ（蓄積時間Ｔｓ＋読取時間Ｔｒ）の整数倍となるように設定しているので、動画撮影時（時点ｔ０〜ｔ４又は時点ｔ８〜ｔ９）に、静止画撮影を行い（時点ｔ４〜ｔ８又は時点ｔ９〜ｔ１５）、さらに動画撮影（時点ｔ８〜ｔ９又はｔ１５〜ｔ１７）を繰り返し行う放射線画像の撮影の際に、同期がずれることなく、動画を連続的に取得しながら、その間に、動画撮影時の蓄積時間Ｔｓより長い蓄積時間Ｔｓｔで撮影された高画質の静止画を取得することができる。
【００６０】
なお、放射線Ｘは、蓄積タイミングＳＴの蓄積時間Ｔｓ及び蓄積時間Ｔｓｔの時間より若干短い時間被検者１２に対して照射され、それぞれ次に到来する読取時間Ｔｒ及び読取時間Ｔｒｄの期間には被検者１２に対して照射されない。放射線Ｘの照射タイミングは、蓄積タイミングＳＴに同期して制御される。
【００６１】
放射線Ｘの線量は、静止画撮影モードでは、動画撮影モードに比較して２倍以上、一般には１０倍以上の大きな値とされる。
【００６２】
蓄積時間Ｔｓ、Ｔｓｔは、動画の蓄積時間Ｔｓが、Ｔｓ＝１〜５［ｍｓ］程度に設定され、静止画の蓄積時間Ｔｓｔが、Ｔｓｔ＝２０〜５００［ｍｓ］程度に設定される。
【００６３】
読取時間Ｔｒ、Ｔｒｄは、パネルサイズ、画素数等に依存して決定されるが、半切サイズ（１７インチ×１４インチ）では、動画の読取時間Ｔｒが、Ｔｒ＝２８［ｍｓ］、静止画の読取時間Ｔｒｄが、Ｔｒｄ＝１８０［ｍｓ］程度に設定される。
【００６４】
［動画撮影モードの説明］
時点ｔ０以前に撮影制御装置２２の入力部８６を通じて動画撮影モードが選択されると、検出器制御部４６及びビニング制御部１２８を通じてビニング部１０４は、図４Ａに示すビニング処理状態に切り換えられる。同時に、動画撮影では照射量が少ないので、ゲイン制御部１２０を通じてスイッチ１１６が開かれ、可変ゲインプリアンプ１０２のゲインが大きくされる。リセットスイッチ１１８はリセット信号ＳＴのローレベルにより開放状態になっている。
【００６５】
また、動画撮影では雑音低減よりも応答性を高めることを目的とするために、可変ＬＰＦ制御部１３６を通じてスイッチ１３２が閉じられ、ＬＰＦ１０６の低域通過周波数ｆｃは、高域側に切り替えられる。
【００６６】
蓄積タイミングＳＴに係る時点ｔ０〜ｔａの蓄積時間Ｔｓの間、被検者１２を透過した放射線Ｘが各画素５０を構成する光電変換層５１を通じて電荷に変換され、発生した電荷が蓄積容量５３に蓄積される。
【００６７】
図６の動画撮影モードのタイミングに示すように、時点ｔａで読取タイミングＲＥ（読取時間Ｔｒ）に入り、まず、可変ゲインプリアンプ１０２のリセットスイッチ（ＲＴ）１１８が閉じられてコンデンサ１１２、１１４に蓄積されていた電荷が放電される。
【００６８】
次に、ＣＤＳ制御部１４４により第１サンプルホールド回路（ＳＨ１）１３８が所定時間駆動されてノイズレベルがホールドされる。
【００６９】
次に、読出クロックφ１、φ２が同時にハイレベルとされ、図３中、上から１段目と２段目の各画素５０を構成するＴＦＴ５２が同時にオン状態とされ、該当する蓄積容量５３から信号電荷が流れ出し、可変ゲインプリアンプ１０２により増幅される。
【００７０】
このとき、図３中、上から１段目と２段目の右側４個の画素５０の増幅後の信号電荷が、図３中、右側のビニング部１０４で合成されるとともに、図３中、上から１段目と２段目の左側４個の画素５０の増幅後の信号電荷が、図３中、左側のビニング部１０４で合成される。
【００７１】
右側のビニング部１０４で合成された信号電荷は、右から２番目のＬＰＦ１０６を通じて、右から２番目のＣＤＳ部１０８の駆動状態となっている第２サンプルホールド回路（ＳＨ２）１４０に流れ込むので、第２サンプルホールド回路１４０では、ノイズレベルと信号電荷が合成されたレベルがホールドされる。
【００７２】
同時に、左側のビニング部１０４で合成された信号電荷は、一番左側のＬＰＦ１０６を通じて、一番左のＣＤＳ部１０８の駆動状態となっている第２サンプルホールド回路（ＳＨ２）１４０に流れ込むので、第２サンプルホールド回路１４０では、ノイズレベルと信号電荷が合成されたレベルがホールドされる。
【００７３】
このとき、第１サンプルホールド回路１３８の出力と第２サンプルホールド回路１４０の出力との差電圧、すなわち、信号電圧がＣＤＳ部１０８を構成する差動アンプ１４２の出力側に表れる。
【００７４】
次いで、右から２番目のＣＤＳ部１０８の出力と一番左側のＣＤＳ部１０８の出力とがＡ／Ｄ変換器７０を通じて順次Ａ／Ｄ変換され合成され、右上側の４画素分の合成信号電荷に係るデジタル画像信号と、上左側の４画素分の合成信号電荷に係るデジタル画像信号とが、検出器制御部４６を通じて記憶部８２に記憶される。
【００７５】
以下、同様にして、時点ｔ１の前に、読出クロックφ３、φ４が同時にハイレベルとされ、右下側の４画素分の合成信号電荷に係るデジタル画像信号と、左下側の４画素分の合成信号電荷に係るデジタル画像信号とが、検出器制御部４６を通じて記憶部８２に記憶される。
【００７６】
これにより、１６個の全画素５０に対応する２×２画素分のデジタル画像信号、すなわち、１コマ分の動画データを得ることができる。以下、同様にして、時点ｔ４（図５参照）まで４コマ分の動画が得られる。
【００７７】
記憶部８２に記憶された動画データとしてのデジタル画像信号は、撮影制御装置２２の記憶部９４に転送され、撮影制御部９０を通じて、放射線検出器１６の全画素数に対応する４×４画素分の１コマ（１画面）分の動画データに拡張（補間）され、表示装置２０に映像信号として送出される。
【００７８】
これにより、医師２７等は、表示装置２０上で、例えば、図８に示すように、動画Ｍ１として観測することができる。
【００７９】
［静止画撮影モード］
図５に示す時点ｔ４までの間に、撮影制御装置２２の入力部８６を通じて静止画撮影モードが選択されると、検出器制御部４６及びビニング制御部１２８を通じてビニング部１０４は、図４Ｂに示す非ビニング処理状態に切り換えられる。同時に、静止画撮影では照射量が多いので飽和を避けるために、ゲイン制御部１２０を通じてスイッチ１１６が閉じられ、可変ゲインプリアンプ１０２のゲインが小さくされる。リセットスイッチ１１８はリセット信号ＳＴのローレベルにより開放状態になっている。
【００８０】
また、静止画撮影では雑音を低減して画質を重視するために、可変ＬＰＦ制御部１３６を通じてスイッチ１３２が開かれ、ＬＰＦ１０６の低域通過周波数ｆｃは、低域側に切り替えられる。
【００８１】
図５に示す時点ｔ４〜ｔｃの蓄積時間Ｔｓｔの間、被検者１２を透過した放射線Ｘが各画素５０を構成する光電変換層５１を通じて電荷に変換され、発生した電荷が蓄積容量５３に蓄積される。
【００８２】
図７に示すように、時点ｔｃで読取タイミングＲＥ（読取時間Ｔｒｄ）に入り、まず、可変ゲインプリアンプ１０２のリセットスイッチ（ＲＴ）１１８が閉じられてコンデンサ１１２、１１４に蓄積されていた電荷が放電される。
【００８３】
次に、ＣＤＳ制御部１４４により第１サンプルホールド回路１３８が所定時間駆動されてノイズレベルがホールドされる。
【００８４】
次に、読出クロックφ１、φ２、φ３、φ４が順次ハイレベルとされ、動画撮影モードの動作に準ずる動作が行われて１６個の画素５０に対応する４×４画素分のデジタル画像信号が検出器制御部４６を通じて記憶部８２に記憶される。
【００８５】
これにより、１６個の全画素５０に対応する４×４画素分のデジタル画像信号、すなわち、１画面分の静止画データを得ることができる。
【００８６】
記憶部８２に記憶された静止画データとしてのデジタル画像信号は、撮影制御装置２２の記憶部９４に転送され、撮影制御部９０を通じて表示装置２０に映像信号として送出される。
【００８７】
これにより、医師２７等は、表示装置２０上で、例えば、図８に示すように、静止画ＳＩ１として観測することができる。
【００８８】
なお、動画Ｍ１及び静止画ＳＩ１は、その図８に示すように、縮小して動画Ｍ３及び静止画ＳＩ３として横に並べて同時に表示装置２０上で表示することが可能である。また、縮小して動画Ｍ２及び静止画ＳＩ２として縦に並べて同時に表示装置２０上に表示することが可能である。
【００８９】
［実施形態の概括的な説明］
以上説明したように上述した実施形態によれば、行列状に配置され、放射線Ｘを信号電荷に変換して蓄積するとともに、蓄積された信号電荷を動画信号又は静止画信号として出力する画素５０を備える放射線検出器１６と、少なくとも放射線Ｘを前記信号電荷に変換して蓄積する蓄積時間Ｔｓ、Ｔｓｔ、及び蓄積された信号電荷を読み取る読取時間Ｔｒ、Ｔｒｄを制御して、放射線検出器１６を、動画撮影モード又は静止画撮影モードに切り替える検出器制御部４６とを備え、検出器制御部４６は、放射線検出器１６から動画撮影モードの周期Ｔｃｋ（Ｔｓ＋Ｔｒ）で動画信号を取得中に、静止画信号を取得する際、前記静止画信号の蓄積時間Ｔｓｔと読取時間Ｔｒｄの合成時間（ＴｓＴ＋Ｔｒｄ）が、動画撮影モードの周期Ｔｃｋの整数倍（Ｔｓ＋Ｔｒｄ＝Ｔｃ×ｎ、ｎは、２以上の整数）になるように、前記静止画信号を取得するタイミングを制御している。
【００９０】
このように制御することで、動画撮影時に、静止画撮影を行い、さらに動画撮影を繰り返し行う放射線画像の撮影の際に、同期がずれることなく、動画を連続的に取得しながら、その間に、高画質の静止画を取得することができる。
【００９１】
造影剤などを使用した動画撮影の際には、動画撮影及び静止画撮影の順で作業が完結するのではなく、動画撮影による診断時に、気になった箇所を静止画撮影するという手順を複数回繰り返す場合があり、この実施形態に係る放射線検出装置１８を適用して好適である。
【００９２】
この場合において、検出器制御部４６は、前記動画信号を、ビニング処理により取得するようにしているので、ＳＮ比の高い動画を取得することができる。
【００９３】
なお、表示装置２０上に、前記動画信号による動画と前記静止画信号による静止画とを同時に表示（動画Ｍ２と静止画ＳＩ２、動画Ｍ３と静止画ＳＩ３）するようにしたので、上述した造影剤などを使用した動画撮影による診断時に、気になった箇所を静止画撮影することで、例えば、被検者１２の同一位置（診察対象部位等の関心領域）等について、動画と静止画を同時に見ることができる。
【００９４】
なお、この発明は、上述の実施の形態に限らず、この発明の要旨を逸脱することなく、種々の構成を採り得る。
【符号の説明】
【００９５】
１０…放射線撮影システム              １２…被検者（被写体）
１４…放射線源                        １６…放射線検出器
１８…放射線検出装置                  ２０…表示装置
２２…撮影制御装置                    ４６…検出器制御部
８６…入力部
【図１】
2011255020.tif 000003
【図２】
2011255020.tif 000004
【図３】
2011255020.tif 000005
【図４】
2011255020.tif 000006
【図５】
2011255020.tif 000007
【図６】
2011255020.tif 000008
【図７】
2011255020.tif 000009
【図８】
2011255020.tif 000010